(57)【要約】      （修正有）【課題】開閉動作の安定したパイロット式電磁弁を提供すること。【解決手段】パイロット室と出力ポートとを連通するパイロットオリフィスを開閉するパイロット弁体を有するアクチュエータ部と、入力ポートと出力ポートとを連通する主弁孔を開閉する主弁４０を有する本体部を備え、主弁４０にパイロット室と入力ポートを連通する連通路筒４１が形成されたパイロット式電磁弁において、連通路筒４１は中空状の筒であり、主弁４０から突出させ、筒の内周面に連通路を形成し、突出した筒の側面から連通路までに一定の間隔で複数の外周孔を形成する。【選択図】図１
2010185496.tif 000002
【特許請求の範囲】
【請求項１】
パイロット室と出力ポートとを連通するパイロットオリフィスを開閉するパイロット弁、を有するアクチュエータ部と、入力ポートと該出力ポートとを連通する主弁孔を開閉する主弁、を有する本体部とを備え、該主弁にパイロット室と該入力ポートを連通する連通部が形成されたパイロット式電磁弁において、
前記連通路は中空状の連通路筒の内周面に形成されていること、
前記連通路筒には、連通路及び外周孔が形成されていること、
前記連通路筒は前記主弁から突出していること、
前記連通路筒の突出部の外周には、外周孔が形成されていること、
前記連通路筒の側面から前記連通路までに一定の間隔で複数の前記外周孔が形成されていること、
を特徴とするパイロット式電磁弁。
【請求項２】
請求項１に記載するパイロット式電磁弁において、
前記外周孔はスリット状であること、
を特徴とするパイロット式電磁弁。
【請求項３】
請求項２に記載するパイロット式電磁弁において、
前記スリットは前記連通路の径よりも幅が狭いこと、
を特徴とするパイロット式電磁弁。
【請求項４】
請求項１乃至請求項３に記載するパイロット式電磁弁のいずれか一つにおいて、
前記連通路筒の端部に一体の蓋部が形成されていること、
を特徴とするパイロット式電磁弁。
【請求項５】
請求項１に記載するパイロット式電磁弁において、
前記連通路のうち前記パイロット室と連通する通路はテーパ状であること、
を特徴とするパイロット式電磁弁。
【発明の詳細な説明】
【技術分野】
【０００１】
本発明は、パイロット室と出力ポートとを連通するパイロットオリフィスを開閉するパイロット弁、を有するアクチュエータ部と、入力ポートと出力ポートとを連通する主弁孔を開閉する主弁、を有する本体部を備え、該主弁にパイロット室と該入力ポートを連通する連通路が形成されたパイロット式電磁弁に関する。
【背景技術】
【０００２】
従来、この種の技術として、下記の特許文献１に記載されるガス湯沸器の水栓１００がある。図９は、特許文献１のガス湯沸器の水栓１００の断面図を示す。図１０は、図９における破線Ｄで囲った連通路１１１ａの正面拡大図を示す。図１１は、図１０の連通路１１１ａのＢＢ断面図を示す。
ガス湯沸器の水栓１００の構成を説明する。図９に示すように、特許文献１に係るガス湯沸器の水栓１００は、水入口１１０ａ、水出口１１０ｂ、水室１０１及び弁座１０３ｄが形成された水栓本体１０３が備えられている。また、水栓本体１０３内には、水室１０１を一次室１０１ａと二次室１０１ｂとに仕切るダイアフラム１１３が形成されている。ダイアフラム１１３には、一次室１０１ａと二次室１０１ｂとを連通する連通路１１１ａ及びパイロット孔１１１ｂを形成したダイアフラム受１１１が備えられている。ガス湯沸器の水栓１００には、ダイアフラム受１１１のパイロット孔１１１ｂを開閉するパイロット弁１１５が備えられている。
【０００３】
ガス湯沸器の水栓１００の作用効果について、図９を用いて説明する。
水入口１１０ａから流入した流体を水出口１１０ｂへ流すため、以下の動作を行う。ガス湯沸器の水栓１００のパイロット弁１１５を開くと、連通路１１１ａを経由する水流が生じることにより、一次室１０１ａと二次室１０１ｂとの間に圧力差が生じる。圧力差が生じることで、ダイアフラム１１３が水栓本体３の弁座１０３ｄと離間して水出口１１０ｂへの水流路を開き水が水出口１１０ｂへ流入する。
一方、水入口１１０ａから流入した流体を水出口１１０ｂへ流すのを止めるため、以下の動作を行う。ガス湯沸器の水栓１００のパイロット弁１１５がパイロット孔１１１ｂを閉じつつ、ダイアフラム１１３が弁座１０３ｄを塞ぐ。同時に常に開いている連通孔１１１ａを介して、一次室１０１ａ二次室１０１ｂに水が供給されるとともに、水入口１１０ａの水圧が直接二次室１０１ｂに加えられ、ダイアフラム１１３を弁座１０３ｄを閉じた状態に保持する方向に押圧する。それにより、ダイアフラム１１３が水栓本体１０３の弁座１０３ｄと密着して水流路１１０を閉じ水の流れが止まる。
【０００４】
水入口１１０ａから流入した流体を水出口１１０ｂへ流す際に、連通路１１１ａを経由する水流が生じることにより、一次室１０１ａと二次室１０１ｂとの間に圧力差を生じさせる。
しかし、流体に異物が混ざっている場合には、連通路１１１ａが異物により塞がれ、一次室１０１ａと二次室１０１ｂとの導通が阻害され、閉弁できなかったり、止水状態が保持できなくなるため問題となる。
そこで、ガス湯沸器の水栓１００では、図１０及び図１１に示すように、連通路１１１ａの入り口部分に溝１１１ｃを形成する。図１０及び図１１に示すように、溝１１１ｃを形成することにより、例え異物が混入したとしても、溝１１１ｃの側面から流体が連通路１１１ａへ流れることができる。したがって、連通路１１１ａが塞がれることがなく、一次室１０１ａと二次室１０１ｂとの導通が阻害されることはなく、閉弁することができ、止水状態が保持することができる。  
【先行技術文献】
【特許文献】
【０００５】
【特許文献１】特開平９−６０９６９号公報
【特許文献２】実開平６−７８６７８号公報
【発明の概要】
【発明が解決しようとする課題】
【０００６】
しかしながら、特許文献１のガス湯沸器の水栓１００には、以下の問題があった。
連通路１１１ａは流体の流入口であり、流体は連通路１１１ａに向かって流れる。そのため、異物がある場合には、連通路１１１ａ付近に異物が集まる。ガス湯沸器の水栓１００のように家庭で使用され、水道水を用いるようなものであれば、異物が多く混入されていることは少ない。しかし、工業用水を使用するような場面においては、切り粉や配管剤のゴミ等の異物が多く混入する恐れがあるため問題となる。すなわち、ガス湯沸器の水栓１００においては、異物が図１０に示すように１つである時には、溝１１１ｃの側面から流体を流すことができるが、工業用水を使用した場合には、複数の異物が連通路１１１ａ付近に集合することにより、溝１１１ｃの側面部も異物により覆われ流体の流入を悪くする事態が生じる。なぜならば、水流は連通路１１１ａへと流れるため、特に異物も連通路１１１ａ付近に集合することになるからである。
また、ガス湯沸器の水栓１００のように、大きな装置である場合においては、連通路１１１ａの孔径は大きいため、たとえ異物が混入したとしても、異物が１つで溝１１１ｃを覆ってしまうことはなく、溝１１１ｃの側面から流体が流れることができる。しかし、パイロット式電磁弁のように小型のアクチュエータを使用して動作させようとした場合には、連通路の径も小さくなる。そのため、１つの異物が連通路１１１ａ及び溝１１１ｃも塞ぐような場合もある。異物が連通路１１１ａ及び溝１１１ｃを塞いでしまう場合には、一次室１０１ａと二次室１０１ｂとの導通が阻害され閉弁できなかったり、止水状態が保持できなくなるため問題となる。
【０００７】
そこで、本発明は、上記問題点を解決するためになされたものであり、その目的は、異物が塞がり難い連通路を形成することにより、開閉動作の安定したパイロット式電磁弁を提供することを目的とする。
【課題を解決するための手段】
【０００８】
上記目的を達成するために、本発明に係るパイロット式電磁弁は、以下の構成を有する。
（１）パイロット室と出力ポートとを連通するパイロットオリフィスを開閉するパイロット弁、を有するアクチュエータ部と、入力ポートと出力ポートとを連通する主弁孔を開閉する主弁、を有する本体部とを備え、主弁にパイロット室と入力ポートを連通する連通部が形成されたパイロット式電磁弁において、連通路は中空状の連通路筒の内周面に形成されていること、連通路筒には、連通路及び外周孔が形成されていること、連通路筒は主弁から突出していること、連通路筒の突出部の外周には、外周孔が形成されていること、連通路筒の側面から連通路までに一定の間隔で複数の外周孔が形成されていること、を特徴とするものである。
（２）（１）に記載するパイロット式電磁弁において、外周孔はスリット状であること、を特徴とするものである。
（３）（２）に記載するパイロット式電磁弁において、スリットは連通路の径よりも幅が狭いこと、を特徴とするものである。
（４）（１）乃至（３）に記載するパイロット式電磁弁のいずれか一つにおいて、連通路筒の端部に一体の蓋部が形成されていること、を特徴とするものである。
（５）（１）に記載するパイロット式電磁弁において、連通路のうちパイロット室と連通する通路はテーパ状であること、を特徴とするものである。
【発明の効果】
【０００９】
上記パイロット式電磁弁の作用及び効果について説明する。
（１）連通路は中空状の連通路筒の内周面に形成されていること、連通路筒には、連通路及び外周孔が形成されていること、連通路筒は主弁から突出していること、連通路筒の突出部の外周には、外周孔が形成されていること、連通路筒の側面から連通路までに一定の間隔で複数の外周孔が形成されていることにより、連通路が主弁から突出した連通路筒に形成されているため、連通路筒の側面に複数の外周孔を形成することができる。そのため、たとえ一つの外周孔が異物により塞がれることがあっても、その他の複数の外周孔が異物により塞がれない限り連通路が完全に塞がれることはない。そのため、連通路が異物で塞がれてしまう事態を軽減することができる。
また、パイロット式電磁弁のように小型のアクチュエータを使用し連通路の径が小さい場合において、例え大きな異物が混入したとしても、複数の外周孔が形成されているため、たとえ一つの外周孔が異物により塞がれることがあっても、その他の複数の外周孔が異物により塞がれない限り連通路が完全に塞がれることはない。そのため、連通路が異物で塞がれてしまう事態を軽減することができる。
（２）外周孔はスリット状であるため、縦長の外周孔として形成されるため、異物が塞がる確率がさらに低くなる。したがって、連通路が異物で塞がれてしまう事態を軽減することができる。
（３）スリットは連通路の径よりも幅が狭いため、スリットを通りぬけるような異物は連通路にも詰まることはない。また、連通路を塞ぐような大きな異物は、スリットに引っ掛かるため、連通路が詰まることを防止することができる。
（４）連通路筒の端部に一体の蓋部が形成されていることにより、連通路筒が蓋部により固定されるため、耐久性が向上する。また、連通路筒に蓋部が形成されることにより内部の連通路が貫通しないため、連通路に異物が塞がることがない。すなわち、連通路に入る異物は全て連通路よりも径の幅が狭い外周孔を通るため、異物が塞がることはない。
（５）連通路のうちパイロット室と連通する通路はテーパ状であるため、外周孔を通り抜けた異物がより連通路に詰まり難くなる。
【図面の簡単な説明】
【００１０】
【図１】本発明の本実施例１における、主弁４０の断面図を示す。
【図２】本発明の本実施例１における、連通路筒４１の正面図を示す。
【図３】本発明の本実施例１における、図２の連通路筒４１のＡＡ断面図を示す。
【図４】本発明の本実施例２における、連通路５１の正面図を示す。
【図５】本発明の本実施例２における、図４の連通路５１のＧＧ断面図を示す。
【図６】本発明の本実施例１における、主弁４０の下面図を示す。
【図７】本発明の本実施例１における、パイロット電磁弁１の断面図を示す。
【図８】本発明の本実施例３における、連通路６１の断面図を示す。
【図９】特許文献１における、ガス湯沸器の水栓１００の断面図を示す
【図１０】特許文献１における、図９の破線Ｄで囲った連通路１１１ａの一部正面拡大図を示す。
【図１１】特許文献１における、図１０の連通路１１１ａのＢＢ断面図を示す。
【発明を実施するための形態】
【００１１】
次に、本発明に係るパイロット式電磁弁１の一実施の形態について図面を参照して説明する。
（第１実施形態）
＜パイロット式電磁弁１の全体構成＞
図７に示すように、パイロット式電磁弁１は、アクチュエータ部１０、及び、本体部２０により構成されている。アクチュエータ部１０と本体部２０は、図示しない係合部材により係合され面接触している。
アクチュエータ部１０は、中空円筒形状に形成されたコイルボビン１５に電磁コイル１３が巻回され、コイルボビン１５の一端開口部に固定鉄心１６が固設され、コイルボビン１５の他端開口部にプランジャ１１が摺動可能に装着されている。プランジャ１１は、非磁性体であるガイド１７を貫いて、本体部２０の第２パイロット室２５内に突き出ている。固定鉄心１６とプランジャ１１は、弁座３１と同軸上に配設されている。プランジャ１１の弁座３１側の先端部には、パイロット弁体１２が固設されている。パイロット弁体１２とガイド１７の間にバネ１４が縮設されている。そのため、パイロット弁体１２は、バネ１４により弁座３１側に常時付勢され、弁座３１に押圧し、パイロットオリフィス２６を閉弁した状態にある。
【００１２】
本体部２０の内部には、入力ポート２１、出力ポート２２、パイロット室３０（請求項中の「パイロット室」を示す。）が形成されている。パイロット室３０は、第１パイロット室２３、第２パイロット室連通路２４、第２パイロット室２５を含めたものである。
入力ポート２１は、第１パイロット室２３へ連通している。また、第１パイロット室２３は出力ポート２２と連通している。出力ポート２２と第１パイロット室２３が連通する第１パイロット室２３内には、弁座２９が形成され、弁座２９の内周部は主弁孔２８が形成されている。
弁座２９に当接離間できる、摺動可能な主弁４０が形成されている。主弁４０は、固定体４３とダイアフラム４２から構成されている。主弁４０は、ダイアフラム４２のうち周縁に形成された環状の固定部４２ｄが本体部２０と固設されていることにより、弁座２９と当接離間可能なように維持されている。
第１パイロット室２３は、主弁４０を境に第１パイロット室第一次室２３ａと第１パイロット室第二次室２３ｂとに分かれる。第１パイロット室第二次室２３ｂと第２パイロット室２５の間には第２パイロット室連通路２４が連通している。第２パイロット室２５の底部にある弁座３１の中心部には、パイロットオリフィス２６が形成されている。パイロットオリフィス２６はパイロット弁体１２により閉弁された状態にある。パイロットオリフィス２６と出力ポート２２の間には出力ポート連通路２７が連通している。
【００１３】
＜主弁３０の全体構成＞
図１及び図６に示すように、主弁４０は、弾性体のダイアフラム４２と固定体４３から構成されている。
固定体４３は、軸方向の下方向の中心部にダイアフラム４２と固定される先端部にふくらみを有する突起状の固定部４３ａが形成されている。固定部４３ａは、第１ダイアフラム第２次室の底部にあたる円柱形状の底部４３ｂに形成されている。底部４３ｂの最外周端にはテーパ部４３ｄの一端が係合しており、テーパ部４３ｄの他端は、中空円筒形状の円筒部４３ｃが係合している。
図１に示すように、底部４３ｂとテーパ部４３ｄが係合する底部４３ｂの最外周部付近に、連通路筒４１が形成されている。
【００１４】
図１に示すように、ダイアフラム４２には、弁座２９に対して当接・離間する円形状の弁体部４２ｃが形成されている。また、ダイアフラム４２は、弁体部４２ｃから外側に張り出した膜部４２ｅと、膜部４２ｅの周縁に形成された環状の固定部４２ｄとを有して形成されたものである。
ダイアフラム４２の弁体部４２ｃの中心に、固定部４３ａと係合する固定部係合孔４２ａが形成されており、固定部係合孔４２ａに固定部４３ａが係合され、固定体４３とダイアフラム４２は一体になる。ダイアフラム４２の弁体部４２ｃのうち固定体４３の連通路筒４１が当接する部分には連通路孔４２ｂが形成されている。円筒状の連通路筒４１は、連通路孔４２ｂに挿入されるため、ダイアフラム４２から円筒状の連通路筒４１が突出した状態にある。
【００１５】
図１に示すように、連通路筒４１は中空状の突出した円筒形状をしている。図２に示すように、連通路筒４１はダイアフラム４２の下面４２１ｃから、連通路筒４１の下面４１ａまで主弁４０から突出している。
また、連通路筒４１の軸方向の下方向の端部には、蓋部４１３が一体成型されている。図１及び図２において点線で示すように、その連通路筒４１の内周壁には、連通路４１１が形成されている。連通路４１１は連通路筒４１の蓋部４１３の上面４１３ａから底部４３ｂの上面４３３ｂまで形成されている。
図２に示すように、連通路筒４１の主弁４０から突出した側面４１ｂには、４つの縦長のスリット状の外周孔４１２が形成されている。外周孔４１２のスリットは、円周方向の長さが０．２ｍｍ〜０．５ｍｍであり、軸方向の長さは４つの外周孔４１２の合計面積が連通路４１１の面積よりも大きくなるような長さに設定する。図３に示すように、第１実施形態においては、円筒の側面４１ｂに対して、等間隔、等幅に、４つのスリット状の外周孔４１２が形成されている。また、外周孔４１２は、連通路筒４１の側面４１ｂから、内周壁に形成された連通路４１１まで貫通して形成されている。図３に示す、スリット状の外周孔４１２の幅Ｐは、０．２ｍｍ〜０．５ｍｍであり、連通路４１１の直径は０．７ｍｍである。外周孔４１２の幅Ｐが、連通路４１１の直径よりも幅が狭くなるように形成されている。
連通路筒４１に蓋部４１３が形成されていることにより、連通路筒４１の軸方向下部が固定される。そのため、水流が強い場合や、強固な異物が混入した場合に、連通路筒４１に衝突しても耐えうる耐久性を有する。
【００１６】
＜第１実施形態における作用及び効果＞
パイロット式電磁弁１は、図７に示すように、非通電時には、固定鉄心１６とプランジャ１１とは所定のクリアランスをもって離間し、パイロット弁体１２が弁座３１を押圧し当接した状態にある。以下、この状態を初期状態として説明する。
【００１７】
初期状態から、主弁４０を、弁座２９から離間させ、流体を入力ポート２１から出力ポート２２へと流入する状態にする動作について説明する。
図７のパイロット弁体１２及び主弁４０が閉弁した初期状態において、アクチュエータ部１０の電磁コイル１３に電圧を供給する。電磁コイル１３に電圧が供給されると、固定鉄心１６に磁界が発生しプランジャ１１を吸引する。プランジャ１１は、係合されたパイロット弁体１２に縮設されたバネ１４に抗して軸方向の固定鉄心１６方向へ摺動する。プランジャ１１が軸方向の固定鉄心１６方向へ摺動することにより、係合するパイロット弁体１２も移動し、弁座３１から離間し、パイロットオリフィス２６が開状態となる。
【００１８】
パイロットオリフィス２６が開状態になると、パイロット室３０は、パイロットオリフィス２６、及び出力ポート連通路２７を介して出力ポート２２と連通される。出力ポート２２は大気と通じているため、第１パイロット室第二次室２３ｂ内は、今まで加わっていた水圧が開放されて低下する。それに伴い、入力ポート２１から供給された流体は、第１パイロット室第一次室２３ａから、主弁４０の連通路筒４１を通過して主弁４０で仕切られた第１パイロット室第二次室２３ｂへ達し、第２パイロット室連通路２４、第２パイロット室２５を介して、パイロットオリフィス２６を流れ、出力ポート２２へと流れる。こうした水流が生じると、連通路４１１はパイロットオリフィス２６より水流に対する抵抗が大きいので、第１パイロット室第二次室２３ｂ側へ差圧力が生じ、主弁４０が持ち上げられ弁座２９より離間する。
【００１９】
図７に示すように、連通路筒４１がダイアフラム４２から突出した筒になっており、さらに、連通路筒４１の側面４１ｂには、複数のスリット状の外周孔４１２が形成されているため、多くの水流を内部の連通路４１１へ流すことができる。そのため、安定した水流を確保することができ、主弁４０の開閉をスムーズに行うことができる。
また、水流に異物が混入したとしても、連通路筒４１が主弁４０から突出した筒であり、複数の外周孔４１２が形成されているため、たとえ一つの外周孔４１２が異物により塞がれることがあっても、その他の外周孔４１２が異物により塞がれない限り連通路４１１が完全に塞がれることはないため、連通路４１１が異物で塞がれてしまう事態を軽減することができる。また、外周孔４１２はスリット状であるため、縦長の長方形の外周孔４１２として形成されるため、異物が外周孔の全体に塞がる確率がさらに低くなる。そのため、安定した水流を確保することができ、主弁４０の開閉をスムーズに行うことができる。
外周孔４１２は連通路４１１の径よりも幅が狭く形成されている。そのため、外周孔４１２を通り抜けるような大きさの異物は連通路４１１にも詰まることはない。したがって、連通路４１１を塞いでしまう事態を回避することができるため、安定した水流を確保することができ、主弁４０の開閉をスムーズに行うことができる。
【００２０】
連通路筒４１を通過する水流が生じることにより、第１パイロット室第二次室２３ｂ側へ差圧力が生じ、主弁４０が持ち上げられ弁座２９より離間する。それにより、入力ポート２１からの流体が、第１パイロット室第一次室２３ａから主弁孔２８を介して出力ポート２２へ流れる。主弁４０が所定距離上昇すると第１パイロット室第一次室２３ａと第１パイロット室第二次室２３ｂの水圧が同一となって主弁４０の上昇がストップし、全開状態となる。
その結果、入力ポート２１からの流体が、第１パイロット室第一次室２３ａから主弁孔２８を介して出力ポート２２へ流入する。
【００２１】
主弁４０を弁座２９に当接させ、流体が入力ポート２１から出力ポート２２へと流入しない初期状態にする動作ついて説明する。
アクチュエータ部１０の電磁コイル１３への電圧の供給を停止する。すると、固定鉄心１６の磁界が消える。プランジャ１１は、プランジャ１１に係合されたパイロット弁体１２はバネ１４の弾性力により、元の固定鉄心１６と所定のクリアランスを持った図７の状態に戻る。それにより、プランジャ１１に係合されたパイロット弁体１２は、図７に示す弁座２０ａに当接し、パイロットオリフィス２６が閉状態に戻る。
同時に、常に開いている連通路筒４１を介して第１パイロット室第一次室２３ａから第１パイロット室第二次室２３ｂに流体が供給されるとともに、入力ポート２１の水圧が直接第１パイロット室第二次室２３ｂに加えられ、主弁４０を押圧し、弁座２９に当接させた図７に示す状態となる。
その結果、主弁孔２８は閉状態となり、入力ポート２１と出力ポート２２は遮断され、流体は出力ポート２２へ流入しない。
【００２２】
主弁４０を弁座２９に当接させ、流体が入力ポート２１から出力ポート２２へ流入しない初期状態にする動作においても、連通路筒４１に流体が流入することを介して、主弁４０を弁座２９に当接させる。
したがって、初期状態にする場合においても、主弁４０を、弁座２９から離間させ、流体を入力ポート２１から出力ポート２２へと流入する状態にする場合と同様に、連通路筒４１がダイアフラム４２から突出した筒になっており、さらに、連通路筒４１の側面４１ｂには、複数のスリット状の外周孔４１２が形成されているため、多くの水流を内部の連通路４１１へ流入することができる。そのため、安定した水流を確保することができ、主弁４０の開閉をスムーズに行うことができる等の同様の効果が得られる。同様の効果については、前記した効果と同様であるため、説明を割愛する。
【００２３】
上記のパイロット式電磁弁１を閉弁及び開弁する場合のどちらにおいても、圧力変化を生じさせるために、連通路筒４１を解して、第１パイロット室第一次室２３ａから第１パイロット室第二次室２３ｂに流体を供給する。
第１実施形態においては、連通路４１１は中空状の連通路筒４１の内周面に形成され、連通路筒４１には、連通路及び外周孔が形成されており、連通路筒４１は主弁４０から突出し、その外周には、複数の外周孔４１２が形成されているため、たとえ一つの外周孔４１２が異物により塞がれることがあっても、その他の複数の外周孔４１２が異物により塞がれない限り連通路４１１が完全に塞がれることはないため、連通路４１１が異物で塞がれてしまう事態を軽減することができる。
【００２４】
また、外周孔４１２はスリット状であり縦長の長方形の孔として形成されるため、異物が外周孔４１２の全体を塞ぐ確率がさらに低くなる。したがって、外周孔４１２と連通する連通路４１１へ流れる水流を、外周孔４１２が異物で塞がれてしまうことにより止められてしまう事態を軽減することができる。
スリット状の外周孔４１２の幅Ｐは、０．２ｍｍ〜０．５ｍｍであり、連通路４１１の径０．７ｍｍよりも幅が狭いため、スリット状の外周孔４１２を通りぬけることができる大きさの異物は連通路４１１にも詰まることはない。また、連通路４１１の径０．７ｍｍよりも大きな異物は、スリット状の外周孔４１２の幅Ｐの０．２ｍｍ〜０．５ｍｍを通ることができずに外周孔４１２に引っ掛かるため、連通路４１１が詰まることを防止することができる。
さらに、連通路筒４１に蓋部４１３が形成されることにより内部の連通路４１１が貫通しないため、連通路４１１に異物が塞がることがない。すなわち、連通路４１１に入る異物は全て連通路４１１よりも径の幅が狭い外周孔４１２を通るため、異物が塞がることはないからである。
【００２５】
（第２実施形態）
第２実施形態におけるパイロット式電磁弁は、第１実施形態におけるパイロット式電磁弁１と比較して、主弁４０における連通路筒４１の形状が異なるだけであるため、その他の共通する部分については説明を割愛する。
図５に示すように、連通路筒５１は、中心に連通路５１１が形成されていることは、連通路筒４１と同様であるが、外周孔５１２が、９０度の角度を持った形状をしている点で構成が相違する。外周孔５１２の連通路５１１と接合する部分の幅Ｑは、０．２ｍｍ〜０．５ｍｍであり、連通路５１１の直径は０．７ｍｍである。外周孔５１２の幅Ｑが、連通路５１１の直径よりも幅が狭くなるように形成されている。
外周孔５１２の幅Ｑは、０．２ｍｍ〜０．５ｍｍであり、連通路５１１の径０．７ｍｍよりも幅が狭いため、スリット状の外周孔５１２を通りぬけることができる大きさの異物は連通路５１１にも詰まることはない。また、連通路５１１の径０．７ｍｍよりも大きな異物は、スリット状の外周孔５１２の幅Ｑの０．２ｍｍ〜０．５ｍｍを通ることができずに外周孔５１２に引っ掛かるため、連通路５１１が詰まることを防止することができる。
さらに、外周孔５１２が、９０度の角度を持った形状をしているため、多くの水流を取り入れることができ、安定した水流を確保することができ、主弁４０の開閉をスムーズに行うことができる。
【００２６】
（第３実施形態）
第３実施形態におけるパイロット式電磁弁は、第１実施形態におけるパイロット式電磁弁１と比較して、主弁４０における連通路筒４１の形状が異なるだけであるため、その他の共通する部分については説明を割愛する。
図８に示すように、連通路筒６１は、中心に連通路６１１が形成されており、固定体６３の底部６３ｂに形成された底部連通路６１５は、テーパ面６１５ｂを備える中空円錐台の形状をしている。そのため、異物が外周孔６１２を通り抜けた場合、異物の出口である底部連通路６１５は広くなっているため、異物が通りやすくなっている。したがって、異物が連通路６１１に詰まり難くなるため、安定した水流を確保することができ、主弁４０の開閉をスムーズに行うことができる。
【００２７】
尚、本発明は、上記実施の形態に限定されることなく、発明の趣旨を逸脱することのない範囲で色々な応用が可能である。
例えば、第１実施形態においては、外周孔４１２はスリット状としたが、外周孔４１２はスリット状でなく、角柱状、円柱状、円錐状等の孔であってもよい。また、外周孔４１２は、等間隔、等幅に形成されているが、千鳥状であってもよいし、不等間隔、不等幅等に形成されているものでもよい。
また、第１実施形態においては、連通路筒４１は主弁４０と一体成型されているが、形成作業の困難性から、後付けであって一体成型でなくともよい。
また、第１実施形態においては、連通路筒４１の先端は一体に成形された蓋部４１３があるが、蓋部４１３に連通路４１１から貫通する貫通孔が形成されていてもよい。連通路筒４１の蓋部４１３は、異物が当接する面積が少なく異物にとって不安定な場所であるため、異物が集まることは少なく、塞がることも少ない。したがって、蓋部４１３に連通路４１１から貫通する貫通孔を設けることで、連通路４１１内部の連通路が異物で塞がれてしまう事態を軽減することができる。また、連通路４１１へ通じる孔が増えることになるため、より安定した水流を確保することができる。
【符号の説明】
【００２８】
１      パイロット式電磁弁
１０    アクチュエータ部
１２    パイロット弁
２０    本体部
２１    入力ポート
２２    出力ポート
２６    パイロットオリフィス
２８    主弁孔
３０    パイロット室
４０    主弁
４１    連通路筒
４１１  連通路
４１２  外周孔
【図１】
2010185496.tif 000003
【図２】
2010185496.tif 000004
【図３】
2010185496.tif 000005
【図４】
2010185496.tif 000006
【図５】
2010185496.tif 000007
【図６】
2010185496.tif 000008
【図７】
2010185496.tif 000009
【図８】
2010185496.tif 000010
【図９】
2010185496.tif 000011
【図１０】
2010185496.tif 000012
【図１１】
2010185496.tif 000013